(57)【要約】【課題】盤構造物の据付けを安全に、しかも効率よく行うことができるチャンネルベースを提供する。【解決手段】盤構造物１２の底面形状と同じ形状の枠体１１ａからなるチャンネルベース本体１１の前記枠体１１ａに、該枠体１１ａが形成する空間１１０を複数に分割するように補助桟１１ｂ、１１ｃを設け、盤構造物１２をチャンネルベース本体１１上に載置する際に盤構造物１２が分割された空間１１０ａ、１１０ｂ、１１０ｃへ落下するのを防止する。【選択図】      図１
2008061380.tif 000002
【特許請求の範囲】
【請求項１】
盤構造物の底面形状と同じ形状の枠体からなるチャンネルベース本体と、
前記枠体に該枠体が形成する空間を複数に分割するように設けられ、前記盤構造物を前記チャンネルベース本体上に載置する際の前記盤構造物の前記分割された空間への落下を防止する補助桟と
を具備したことを特徴とするチャンネルベース。
【請求項２】
前記補助桟により複数に分割された空間のそれぞれの最長寸法が前記盤構造物の底面の最短寸法より小さく設定されることを特徴とする請求項１記載のチャンネルベース。
【請求項３】
前記補助桟は、複数設けられることを特徴とする請求項１又は２記載のチャンネルベース。
【請求項４】
前記補助桟は、前記枠体に対して着脱可能にしたことを特徴とする請求項１又は２記載のチャンネルベース。
【請求項５】
前記補助桟は、伸縮手段を有することを特徴とする請求項４記載のチャンネルベース。
【発明の詳細な説明】
【技術分野】
【０００１】
本発明は、制御盤や配電盤などの盤構造物を据付け固定するのに用いられるチャンネルベースに関するものである。
【背景技術】
【０００２】
制御盤や配電盤などの盤構造物を現場で据付けする場合、据付け基礎上に正確に水平を保った状態で載置する必要がある。このため、従来では、盤構造物を据付け固定する場合、予め据付け基礎上にチャンネルベースを配置し、このチャンネルベース上に盤構造物を載置することで水平を保持した安定した据付け固定状態を実現している。
【０００３】
従来、この種のチャンネルベースとして、特許文献１に開示されるものが知られている。このチャンネルベースは、図８に示すように、盤構造物１の幅寸法と奥行寸法に合わせて枠形状に構成したチャンネルベース本体２を有している。この枠形状のチャンネルベース本体２には、図９に示すような溝形鋼が用いられ、枠形状の角部に穴部３が設けられている。そして、この穴部３に据付け基礎４に植設されたアンカーボルト５を挿通し不図示のナットを締め付けることで据付け基礎４上に設置される。この状態からチャンネルベース本体２上に盤構造物１を載置し、チャンネルベース本体２の角部に設けられた穴部６を用いて不図示のボルト及びナットにより盤構造物１を固定している。
【０００４】
ところで、このようなチャンネルベース本体２に盤構造物１を載置する場合、図８に示すようにコロ引きや搬入冶具等を使って盤構造物１の底面端部をチャンネルベース本体２の一端に載せ、この状態で、盤構造物１をチャンネルベース本体２上に沿って所定の位置まで滑らせるようにしている。
【特許文献１】特開２００４−１０４９５３号公報
【発明の開示】
【発明が解決しようとする課題】
【０００５】
ところが、このように構成したチャンネルベースは、チャンネルベース本体２が枠形状をしており、その中央部に大きな空間７を有している。このため、図１０に示すように盤構造物１をチャンネルベース本体２上に沿って移動させる際に、盤構造物１の一端が空間７に落ち込んで大きく傾き、場合によっては盤構造物１自身が重量を支えきれずに倒れることがあり、盤構造物１内部の機器を破損してしまうばかりか、作業員に危険を及ぼすことがある。このため、従来では、盤構造物１の設置作業を慎重に進める必要があり、多大な時間と労力を要するという問題があった。
【０００６】
本発明は、上記事情に鑑みてなされたもので、盤構造物の据付けを安全に、しかも効率よく行うことができるチャンネルベースを提供することを目的とする。
【課題を解決するための手段】
【０００７】
請求項１記載の発明は、盤構造物の底面形状と同じ形状の枠体からなるチャンネルベース本体と、前記枠体に該枠体が形成する空間を複数に分割するように設けられ、前記盤構造物を前記チャンネルベース本体上に載置する際の前記盤構造物の前記分割された空間への落下を防止する補助桟とを具備したことを特徴としている。
【０００８】
請求項２記載の発明は、請求項１記載の発明において、前記補助桟により複数に分割された空間のそれぞれの最長寸法が前記盤構造物の底面の最短寸法より小さく設定されることを特徴としている。
【０００９】
請求項３記載の発明は、請求項１又は２記載の発明において、前記補助桟は、複数設けられることを特徴としている。
【００１０】
請求項４記載の発明は、請求項１又は２記載の発明において、前記補助桟は、前記枠体に対して着脱可能にしたことを特徴としている。
【００１１】
請求項５記載の発明は、請求項４記載の発明において、前記補助桟は、伸縮手段を有することを特徴としている。
【発明の効果】
【００１２】
本発明によれば、盤構造物の据付けを安全に、しかも効率よく行うことができるチャンネルベースを提供できる。
【発明を実施するための最良の形態】
【００１３】
以下、本発明の実施の形態を図面に従い説明する。
【００１４】
(第１の実施の形態)
図１は、本発明の第１の実施の形態にかかるチャンネルベースの概略構成を示している。
【００１５】
図１において、１１はチャンネルベース本体で、このチャンネルベース本体１１には、制御盤や配電盤などの盤構造物１２が載置され固定される。盤構造物１２は、箱型をしたもので、底面に配線を通すための矩形状の開口部１２ａを有し、また、開口部１２ａの角部にチャンネルベース本体１１への固定用の穴部１２ｂを有している。ここでの盤構造物１２は、底面形状が幅寸法ａ、奥行寸法ｂの矩形状からなっている。
【００１６】
チャンネルベース本体１１は、盤構造物１２の底面形状と同じ形状の枠体１１ａからなっている。この場合は、盤構造物１２の底面の幅寸法ａ及び奥行寸法ｂに合わせて幅寸法ａ０及び奥行寸法ｂ０の枠体１１ａからなっている。枠体１１ａは、図２に示すように断面コ字状をした溝形鋼を枠形状に構成したものである。
【００１７】
枠体１１ａには、複数本(図示例では２本)の補助桟１１ｂ、１１ｃが一体に設けられている。これら補助桟１１ｂ、１１ｃは、枠体１１ａが形成する空間１１０を複数に分割するもので、枠体１１ａの奥行き方向に沿って互いが平行に配置されている。
【００１８】
この場合、枠体１１ａに設けられる補助桟１１ｂ、１１ｃにより形成される分割空間１１０ａ、１１０ｂ、１１０ｃは、それぞれの最長寸法が盤構造物１２底面の最短寸法、ここでは幅寸法ａ及び奥行寸法ｂの何れよりも小さくなるように設定されている。つまり、分割空間１１０ａを形成する枠体１１ａの奥行き方向の一方側辺と補助桟１１ｂとの間隔をａ１、分割空間１１０ｂを形成する補助桟１１ｂと１１ｂとの間隔をａ２、分割空間１１０ｃを形成する補助桟１１ｃと枠体１１ａの奥行き方向の他方側辺との間隔をａ３、さらに分割空間１１０ａの枠体１１ａの奥行き方向の一方側辺と補助桟１１ｂとの間の対角線に沿った間隔をａ４、分割空間１１０ｃの枠体１１ａの奥行き方向の他方側辺と補助桟１１ｃとの間の対角線に沿った間隔をａ５及び枠体１１ａの奥行き方向の内側寸法をｂ０１としたとき、前記盤構造物１２の幅寸法ａ及び奥行寸法ｂに対する関係がａ(又はｂ)＞ａ１、ａ２、ａ３、ａ４、ａ５、ｂ０１となるように設定されている。
【００１９】
このようなチャンネルベース本体１１は、据付け基礎１３上に設置される。この場合、チャンネルベース本体１１は、図２に示すように枠体１１ａ角部の下側壁部に穴部１１１が設けられ、この穴部１１１に据付け基礎１３に直立して植設されたアンカーボルト１４が挿通され、締め付け部材の不図示のナットを締め付けることで、据付け基礎１３上に固定される。また、チャンネルベース本体１１は、枠体１１ａ角部の上側凸壁に穴部１１２が設けられている。この穴部１１２は、チャンネルベース本体１１上に盤構造物１２を載置した状態で、盤構造物１２の穴部１２ｂと位置合わせされ、不図示のボルト及びナットなどの締め付け部材を用いて盤構造物１２を固定する。
【００２０】
このような構成において、まず、据付け基礎１３上に配置されたチャンネルベース本体１１に盤構造物１２を載置するには、コロ引きや搬入冶具等を使って盤構造物１２底面端部を枠体１１ａの幅方向の一端に載せ、この状態で、盤構造物１２を枠体１１ａ上に沿って所定の位置まで滑らせる。そして、枠体１１ａの穴部１１２に盤構造物１２の穴部１２ｂを位置合わせし、締め付け部材の不図示のボルト及びナットを用いて盤構造物１２を固定する。この場合、図１では、盤構造物１２をチャンネルベース本体１１上に載せるのに、枠体１１ａの幅方向の端部から載せて所定の位置まで滑らせるようにしたが、図３（ａ）に示すように枠体１１ａの奥行き方向の端部側から盤構造物１２を載せて所定位置まで滑らせたり、或いは、図３（ｂ）に示すように枠体１１ａの幅方向の端部から盤構造物１２を載せて９０度回転させながら滑らせるなど、あらゆる方向から滑り込ませることができる。
【００２１】
したがって、このようにすれば、盤構造物１２をチャンネルベース本体１１上に載せるのに盤構造物１２をどのような方向から滑り込ませても、枠体１１ａに形成される分割空間１１０ａ、１１０ｂ、１１０ｃ中に盤構造物１２が落ち込む心配がなくなるので、盤構造物１２の据付け作業を安全に、しかも効率よく行うことができる。また、盤構造物１２の搬入方向が限られるような場所での盤構造物１２の据付けも可能となり、据付け作業を能率よく行うこともできる。
【００２２】
なお、上述した実施の形態では、分割空間１１０ａ、１１０ｂ、１１０ｃを形成するため複数の補助桟１１ｂ、１１ｃを配置した例を述べたが、1本であってもよい。また、補助桟の本数を適当に設定することで、必ずしもａ(又はｂ)＞ａ４、ａ５にならなくとも盤構造物１２が落ち込むことを防止することもできる。さらに、上述した実施の形態では、盤構造物１２の底面形状が矩形状のものについて述べたが、矩形状以外の多角形のものや円状のものであってもよい。
【００２３】
(第2の実施の形態)
第1の実施の形態では、チャンネルベース本体１１を構成する枠体１１ａに補助桟１１ｂ（１１ｃ）を一体に設けるようにしたが、盤構造物１２をチャンネルベース本体１１上に載置した後は、必ずしも補助桟１１ｂ（１１ｃ）を必要としない場合が多い。むしろ枠体１１ａが形成する空間１１０が多分割されていると、盤構造物１２底面の開口部１２ａからの配線作業等に支障をきたすことがある。
【００２４】
そこで、この第2の実施の形態では、補助桟を取外し可能な構成としている。
【００２５】
図４は、第2の実施の形態にかかるチャンネルベースの概略構成を示すもので、図1と同一部分には同符号を付して説明を省略する。
【００２６】
この場合、チャンネルベース本体１１を構成する枠体１１ａは、複数本(図示例では２本)の補助桟２１が着脱可能に設けられている。枠体１１ａは、相対向する側面、ここでは、図５に示すように幅方向に沿った側面の断面コ字状の溝形鋼底部に、突起部２２が所定の間隔をおいて設けられている。これら突起部２２は、枠体１１ａの空間１１０を挟んで相対向するもの同士が対となって補助桟２１を支持する。
【００２７】
補助桟２１は、図６に示すように複数（図示例では2本）の円柱体２１１と２１２を同軸上に配置している。一方の円柱体２１１は、一方端面に前記突起部２２が挿入される溝部２１１ａが形成され、他方端部にオスネジ部２１１ｂが形成されている。また、他方の円柱体２１２は、一方端面に前記突起部２２が挿入される溝部２１２ａが形成され、他方端部に前記オスネジ部２１１ｂが螺合されるメスネジ部２１２ｂが形成されている。これらオスネジ部２１１ｂ及びメスネジ部２１２ｂは、補助桟２１の長さ寸法を可変するための伸縮手段を構成しており、これら円柱体２１１又は円柱体２１２を回転しオスネジ部２１１ｂのメスネジ部２１２ｂへのねじ込み量を調整することで補助桟２１の長さ寸法を可変可能にしている。なお、２４は、円柱体２１１のオスネジ部２１１ｂのメスネジ部２１２ｂへのねじ込み量を制限するためのストッパである。
【００２８】
なお、ここでは、補助桟２１の長さ寸法を可変する伸縮手段として、オスネジ部２１１ｂのメスネジ部２１２ｂへのねじ込み量を調整する構成のものについて述べたが、これ以外の構成の伸縮手段も適用することができる。
【００２９】
このような補助桟２１は、チャンネルベース本体１１に盤構造物１２を載置する前に、円柱体２１１又は円柱体２１２を回転させて長さ寸法を枠体１１ａの奥行き方向の内側寸法ｂ０１より十分短くする。そして、円柱体２１１及び２１２のそれぞれの溝部２１１ａ、２１２ａを突起部２２に対応させる。この状態で、円柱体２１１又は２１２を回転し補助桟２１の長さ寸法を調整して円柱体２１１と２１２のそれぞれの溝部２１１ａ、２１２ａに突起部２２を挿入させる。
【００３０】
このようにして、複数の補助桟２１を枠体１１ａに取付ける。この場合も、枠体１１ａに取付けられた補助桟２１により形成される分割空間１１０ａ、１１０ｂ、１１０ｃについても上述したと同様にａ(又はｂ)＞ａ１、ａ２、ａ３、ａ４、ａ５、ｂ０１の関係を設定しておけば、盤構造物１２をチャンネルベース本体１１のどのような方向から滑り込ませても、これら分割空間１１０ａ、１１０ｂ、１１０ｃ中に盤構造物１２が落ち込む心配がなくなり、安全に盤構造物１２の据付け作業を行うことができ。
【００３１】
その後、チャンネルベース本体１１に盤構造物１２を据付け固定した後は、補助桟２１の円柱体２１１又は円柱体２１２を回転させて長さ寸法を十分短くすれば、簡単に枠体１１ａから取り外すことができる。
【００３２】
したがって、このようにすれば、チャンネルベース本体１１の枠体１１ａに補助桟２１を着脱可能に設け、チャンネルベース本体１１に盤構造物１２を据付け固定した後は、補助桟２１を取り外しできるので、盤構造物１２底面の開口部１２ａから配線を行うような場合も、補助桟２１が作業の邪魔になるようなことをなくなり、配線作業等を能率よく行うことができる。また、補助桟２１は、円柱体２１１と２１２のそれぞれの溝部２１１ａ、２１２ａに突起部２２を挿入した状態で、回転可能になっており、盤構造物１２を移動させる際にコロの働きを得られるので、盤構造物１２のチャンネルベース本体１１上での移動をさらにスムーズに行うことができる。
【００３３】
なお、上述した第２の実施の形態では、枠体１１ａに配置される全ての補助桟２１について着脱可能としたが、固定式のものと組み合わせて用いることができる。このようにすれば、枠体１１ａの機械的強度を高めることができる。
【００３４】
(変形例)
上述した第2の実施の形態では、補助桟２１の円柱体２１１と２１２の周面が枠体１１ａ上面とほぼ面一になっているが、このようにすると寸法的な多少のバラツキにより円柱体２１１、２１２の周面が枠体１１ａ上面より突出ることがあり、この状態では、盤構造物１２を枠体１１ａ上に載置したとき盤構造物１２の据付け状態が安定しないことがある。そこで、この変形例では、図７に示すように円柱体２１１、２１２の半径寸法ｈ’を突起部２２の中心から枠体１１ａ上面までの距離ｈより小さくなるようにして円柱体２１１、２１２周面が枠体１１ａ上面より突出しないようにする。
【００３５】
このようにすれば、円柱体２１１、２１２の周面が枠体１１ａ上面より突出することがないので、枠体１１ａ上面に載置したときの盤構造物１２の安定性を確保することができる。
【００３６】
なお、本発明は、上記実施の形態に限定されるものでなく、実施段階では、その要旨を変更しない範囲で種々変形することが可能である。例えば、上述した実施の形態では、補助桟は、枠体１１ａの奥行き方向に配置した例を述べたが、幅方向に沿って配置したり、枠体１１ａの対角線と平行な斜め方向に配置することもできる。
【００３７】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００３８】
【図１】本発明の第１の実施の形態にかかるチャンネルベースの概略構成を示す図。
【図２】第１の実施の形態に用いられるチャンネルベースの一部を拡大して示す図。
【図３】第１の実施の形態の盤構造物をチャンネルベースに載せる際の状態を示す図。
【図４】本発明の第２の実施の形態にかかるチャンネルベースの概略構成を示す図。
【図５】第２の実施の形態に用いられるチャンネルベースの一部を拡大して示す図。
【図６】第２の実施の形態に用いられる補助桟の概略構成を示す図。
【図７】第２の実施の形態の変形例の概略構成を示す図。
【図８】従来のチャンネルベースの一例を示す図。
【図９】従来のチャンネルベースの一部を拡大して示す図。
【図１０】従来のチャンネルベースに盤構造物を載せる際の状態を示す図。
【符号の説明】
【００３９】
１１…チャンネルベース本体、１１ａ…枠体
１１ｂ．１１ｃ…補助桟、１１０…空間
１１０ａ．１１０ｂ、１１０ｃ…分割空間
１１１…穴部、１１２…穴部
１２…盤構造物、１２ａ…開口部
１２ｂ…穴部、１３…据付け基礎
１４…アンカーボルト、２１…補助桟
２１１…円柱体、２１１ａ…溝部
２１１ｂ…オスネジ部、２１２…円柱体
２１２ａ…溝部、２１２ｂ…メスネジ部
２２…突起部、２４…ストッパ
【図１】
2008061380.tif 000003
【図２】
2008061380.tif 000004
【図３】
2008061380.tif 000005
【図４】
2008061380.tif 000006
【図５】
2008061380.tif 000007
【図６】
2008061380.tif 000008
【図７】
2008061380.tif 000009
【図８】
2008061380.tif 000010
【図９】
2008061380.tif 000011
【図１０】
2008061380.tif 000012